(57)【要約】【課題】横管のボーリング時にゴムパッキンの大きな損傷を防止して横管に対するシール性を確保し、上流側及び下流側縦井戸ケーシングへの土砂などの異物の侵入を確実に防止する。【解決手段】地下浸透水の流れを堰止めるトンネル１の上下流側に、上流側及び下流側縦井戸ケーシング２２Ｕ，２２Ｄを設置し、その両ケーシング２２Ｕ，２２Ｄ間を、横方向からのボーリングによって一端を連通する上流側及び下流側横管２３Ｕ，２３Ｄと、この各横管２３Ｕ，２３Ｄの他端同士を連結する連結管とで地下水流流通可能に繋ぐ。両ケーシング２２Ｕ，２２Ｄの連通部３の円管３０に、ゴムパッキン３１とゴムシール材３２とを周方向全周域に亘って設ける。この両者３１，３２間における円管３０の周方向のほぼ半周域に、ボーリングする際に各横管２３Ｕ，２３Ｄと接触してその横管２３Ｕ，２３Ｄの一端側にまとわりつくように飛散する滑剤３３を収容している。【選択図】図２
2018021414.tif 000002
【特許請求の範囲】
【請求項１】
地下浸透水の流れを堰止める止水壁構造体の上流側と下流側とには、それぞれ上流側及び下流側縦井戸が設置され、
その上流側縦井戸ケーシングと下流側縦井戸ケーシングとの間は、互いの水位よりも低所において横方向からのボーリングによってそれぞれ一端が連通する上流側及び下流側横管と、この上流側及び下流側横管同士を連結する連結管とで地下水流流通可能に繋がれており、
前記各横管と連通する上流側及び下流側縦井戸ケーシングの連通部には、前記各横管に対してシールするゴムパッキンが取り付けられているとともに、このゴムパッキンを外方から覆うゴムシール材が設けられ、
前記ゴムパッキンと前記ゴムシール材との間には、前記各横管をボーリングする際に当該各横管と接触してその横管の一端側にまとわりつくように飛散する滑剤が収容されていることを特徴とする縦井戸ケーシングのシール構造。
【請求項２】
前記滑剤は、前記ゴムパッキンと前記ゴムシール材との間において前記上流側及び下流側縦井戸ケーシングの連通部の周方向全域のうちのほぼ半周域に亘るように設けられている請求項１に記載の縦井戸ケーシングのシール構造。
【請求項３】
前記ゴムシール材は、前記連通部の両端に近付くに従いそれぞれ径を漸減させるテーパー面を備えている請求項２に記載の縦井戸ケーシングのシール構造。
【請求項４】
前記滑剤は、澱粉質の添加によって粘度が高められている請求項１〜請求項３のいずれか１つに記載の縦井戸ケーシングのシール構造。
【請求項５】
前記上流側及び下流側縦井戸ケーシングとしては、それぞれの管径が２００ｍｍ〜１０００ｍｍに設定されたものを対象としている請求項１〜請求項３のいずれか１つに記載の縦井戸ケーシングのシール構造。
【発明の詳細な説明】
【技術分野】
【０００１】
本発明は、地下浸透水の流れを道路のトンネルなどの止水壁構造体によって堰き止めた際にその止水壁構造体の上流側と下流側との間での地下浸透水の水頭差をなくすようにする対策に関する。
【背景技術】
【０００２】
地下構造物の施工時には、施工現場に対する土留めおよび地下水流の遮断をするための土留め壁などの止水壁構造体が用いられる。この止水壁構造体は、地下構造物を構築した後、地下水流を遮って地下ダムのような機能を生じ、止水壁構造体の上流側では地下浸透水位の上昇が起こり、下流側では地下浸透水位の低下が起こる。これでは、止水壁構造体の上流側にある構造物に対して浮上や浸水のおそれがあり、下流側では井戸枯れや地盤沈下が生じるおそれがある。
【０００３】
かかる点から、従来より、止水壁構造体に通水部を形成して地下浸透水を通す機能を持たせることによって対処することが行われている。
【０００４】
具体的には、地上に繋がる孔（または保護筒）を止水壁構造体に設け、この孔に挿入したノズルから高圧水を噴射して、止水壁構造体の躯体内を切り広げることで、止水壁構造体の外壁面に垂直方向および水平方向に大きく開口する貫通空間を形成し、地下浸透水を止水壁構造体の上流側と下流側とに通じさせる。その後、止水壁構造体の孔を利用して地上から投入した透水性材料を貫通空間内に充填して通水部を形成している（例えば、特許文献１及び特許文献２参照）。
【０００５】
ところが、前記従来のものでは、止水壁構造体の外壁面に垂直方向及び水平方向に大きく開口する貫通空間は、地下浸透水を通す通水能力を十分に得る上ではこのましいが、垂直方向及び水平方向に大きく開口する貫通空間を形成していると、貫通空間の上部を支える貫通空間の内側壁部の強度が低下することから、貫通空間が潰れて崩壊し、地上部が陥没するおそれがある。
【０００６】
そこで、止水壁構造体の上流側と下流側とにそれぞれ上流側及び下流側縦井戸を止水壁構造体に沿って複数設置し、それぞれ止水壁構造体を挟んで互いに対峙する上流側及び下流側縦井戸ケーシングを、互いの水位よりも低所においてそれぞれ横管の一端を横方向からのボーリングによって連通し、各横管の他端同士を連結管によって地下水流の流通可能に連結することで、止水壁構造体の上流側と下流側とを必要最小限の管路で連通させて、大きく開口する貫通空間の崩壊による地上部の陥没を防止することが考えられる。この場合、横管の一端と連通する上流側及び下流側縦井戸ケーシングの連通部に横管に対してシールするゴムパッキンが取り付けられている。
【先行技術文献】
【特許文献】
【０００７】
【特許文献１】特開平７−７６８２７号公報
【特許文献２】特開平７−７６８２８号公報
【発明の概要】
【発明が解決しようとする課題】
【０００８】
しかしながら、止水壁構造体の上流側と下流側とを必要最小限の管路で連通させるものにおいても、以下に述べる課題を保有している。
【０００９】
つまり、上流側及び下流側縦井戸ケーシングに対するボーリング時に回転しながら押圧される横管との摩擦によって、ゴムパッキンが横管の径以上に引きちぎられるなどして大きく損傷するおそれがあり、横管に対するシール性が損なわれて土砂などの異物が上流側及び下流側縦井戸ケーシングに侵入してしまう。
【００１０】
本発明は、かかる点に鑑みてなされたものであり、その目的とするところは、横管のボーリング時にゴムパッキンの大きな損傷を防止して横管に対するシール性を確保し、土砂などの異物の上流側及び下流側縦井戸ケーシングへの侵入を確実に防止することができる縦井戸ケーシングのシール構造を提供することにある。
【課題を解決するための手段】
【００１１】
前記目的を達成するため、本発明では、縦井戸ケーシングのシール構造として、地下浸透水の流れを堰止める止水壁構造体の上流側と下流側とに、それぞれ上流側及び下流側縦井戸を設置し、その上流側縦井戸ケーシングと下流側縦井戸ケーシングとの間を、互いの水位よりも低所において横方向からのボーリングによってそれぞれ一端を連通する横管と、この各横管の他端同士を連結する連結管とで地下水流流通可能に繋いでいる。更に、前記各横管と連通する上流側及び下流側縦井戸ケーシングの連通部に、前記各横管に対してシールするゴムパッキンを取り付けるとともに、このゴムパッキンを外方から覆うゴムシール材を設ける。そして、前記ゴムパッキンと前記ゴムシール材との間に、前記各横管をボーリングする際に当該各横管と接触してその横管の一端側にまとわりつくように飛散する滑剤を収容していることを特徴としている。
【００１２】
また、前記滑剤を、前記ゴムパッキンと前記ゴムシール材との間において前記上流側及び下流側縦井戸ケーシングの連通部の周方向全域のうちのほぼ半周域に亘るように設けていてもよい。
【００１３】
また、前記ゴムシール材に、前記連通部の両端に近付くに従いそれぞれ径を漸減させるテーパー面を備えていてもよい。
【００１４】
また、前記滑剤の粘度を、澱粉質の添加によって高めてもよい。
【００１５】
更に、前記上流側及び下流側縦井戸ケーシングとして、それぞれの管径を２００ｍｍ〜１０００ｍｍに設定したものを対象とすることがこのましい。
【発明の効果】
【００１６】
以上、要するに、止水壁構造体の上流側及び下流側縦井戸ケーシングに対し横方向からのボーリングによってそれぞれ横管が連通する連通部に、ゴムパッキンを取り付け、このゴムパッキンと当該ゴムパッキンを覆うゴムシール材との間に滑剤を収容することで、上流側及び下流側縦井戸ケーシングに対してボーリングする際に回転しながら押圧される各横管との接触によってゴムシール材を破断させて飛散する滑剤が横管の一端側にまとわりつく。このため、各横管が回転しながらゴムパッキン並びに上流側及び下流側縦井戸ケーシングに滑らかに押圧され、ゴムパッキンが各横管の径以上に引きちぎられるなどして大きく損傷したり、上流側及び下流側縦井戸ケーシングが管内に押し込まれたりすることがない。これにより、各横管に対するゴムパッキンのシール性を確保し、土砂などの異物の上流側及び下流側縦井戸ケーシングへの侵入を確実に防止することができる。
【００１７】
また、滑剤を、ゴムパッキンとゴムシール材との間において上流側及び下流側縦井戸ケーシングの連通部の周方向全域のうちのほぼ半周域に亘るように設けることで、上流側及び下流側縦井戸ケーシングの連通部の周方向において滑剤の位置に多少のズレがあっても各横管をそのままボーリングすることが可能となる。このため、上流側及び下流側縦井戸ケーシングの連通部の周方向において滑剤の位置を各横管のボーリングに合わせた向きに正確に位置合わせする必要がない上、滑剤の使用量が周方向全域の略半分で済む。これにより、上流側及び下流側縦井戸ケーシングを安易に配置できて、各横管のボーリング作業を簡単かつ安価に行うことができる。
【００１８】
また、ゴムシール材に、連通部の両端に近付くに従いそれぞれ径を漸減させるテーパー面を備えることで、上流側及び下流側縦井戸ケーシングを縦穴に設置する際に当該上流側及び下流側縦井戸ケーシングの径よりも大径なゴムシール材との接触がテーパーにより緩和される。これにより、上流側及び下流側縦井戸ケーシングの縦穴への設置作業を円滑に行うことができる。
【００１９】
また、滑剤の粘度を澱粉質の添加によって高めることで、上流側及び下流側縦井戸ケーシングに対するボーリング時に回転しながら押圧される各横管の接触によってゴムシール材を破断させて漏れ出す高い粘度の滑剤が各横管の一端側にまとわりつき易くなる。このため、各横管が回転しながらゴムパッキンに対しより滑らかに押圧され、ゴムパッキンの損傷自体も大幅に抑制される。これにより、各横管に対するゴムパッキンのシール性をより一層確保し、土砂などの異物の上流側及び下流側縦井戸ケーシングへの侵入をより確実に防止することができる。
【００２０】
更に、上流側及び下流側縦井戸ケーシングとして、それぞれの管径を２００ｍｍ〜１０００ｍｍに設定したものを対象とすることで、止水壁の上流側及び下流側縦井戸ケーシングとして用いる管材を管径によって特定し、止水壁の上流側及び下流側縦井戸ケーシングに対して横方向からボーリングする横管の径も自ずと特定でき、止水壁の上流側及び下流側縦井戸ケーシングを横方向からの各横管のボーリングにより連通させる作業においてのみ適用するものであることを明確にすることができる。
【図面の簡単な説明】
【００２１】
【図１】本発明の実施の形態に係る縦井戸ケーシングのシール構造がトンネルを構成する止水壁の上流側及び下流側においてそれぞれ等間隔置きに設置されている状況を説明する概略説明図である。
【図２】図１の止水壁の上流側及び下流側の上流側及び下流側縦井戸ケーシングを横管及び連結管により連通させた状態を説明するトンネルの縦断面図である。
【図３】図２の上流側縦井戸ケーシング及び横管の連通部での断面図である。
【図４】図２の下流側縦井戸ケーシング及び横管の連通部での断面図である。
【図５】図３の上流側縦井戸ケーシングの正面図である。
【図６】図５の上流側縦井戸ケーシングの下部に位置するスクリーン部分の正面図である。
【図７】図６のスクリーン部分の平面図である。
【図８】図６のスクリーン部分の連通部付近の拡大図である。
【図９】図８の横管をボーリングする前の連通部付近の断面図である。
【図１０】図８の連通部のゴムシール材に対し横管をボーリングする直前状態での連通部付近の一部切り欠き断面図である。
【図１１】図８の連通部の円管に対し横管をボーリングする直前状態での連通部付近の一部切り欠き断面図である。
【図１２】図１１の連通部の円管に対し横管をボーリングする直前状態での連通部の拡大断面図である。
【図１３】図８の連通部の円管に対し横管をボーリングし終えた状態での連通部付近の一部切り欠き断面図である。
【図１４】図１３の連通部の円管に対し横管をボーリングし終えた状態での連通部の拡大断面図である。
【発明を実施するための形態】
【００２２】
以下、本発明の実施の形態を図面に基づいて詳細に説明する。
【００２３】
図１は本発明の実施の形態に係る縦井戸ケーシングのシール構造がトンネルを構成する止水壁の上流側及び下流側においてそれぞれ等間隔置きに設置されている状況を説明する概略説明図を示している。
【００２４】
図１において、１は地下に掘削された止水壁構造体としての自動車用のトンネルであって、このトンネル１の短手方向両側方（図１では上下両側方）には、地下浸透水の流れをその上流側及び下流側においてそれぞれ堰止める上流側及び下流側止水壁１１Ｕ，１１Ｄが設けられている。この上流側止水壁１１Ｕの上流側と下流側止水壁１１Ｄの下流側とには、それぞれ上流側及び下流側縦井戸２１Ｕ，２１Ｄがトンネル１の長手方向所定間隔置き（例えば略２０ｍ置き）に設置されている。この上流側及び下流側縦井戸２１Ｕ，２１Ｄの上流側及び下流側縦井戸ケーシング２２Ｕ，２２Ｄは、上流側及び下流側止水壁１１Ｕ，１１Ｄを挟んでトンネル１の幅方向に対峙している。また、上流側及び下流側縦井戸ケーシング２２Ｕ，２２Ｄの上端は、地上に開口している。
【００２５】
図２は上流側及び下流側止水壁１１Ｕ，１１Ｄの上流側及び下流側縦井戸ケーシング２２Ｕ，２２Ｄを横管及び連結管により連通させた状態を説明するトンネル１の縦断面図を示している。この図２に示すように、トンネル１は、上流側止水壁１１Ｕの近傍を長手方向へ沿って延びる避難路１２と、下流側止水壁１１Ｄの近傍を長手方向へ沿って延びる自動車走行路１３とを備えている。また、上流側及び下流側縦井戸ケーシング２２Ｕ，２２Ｄには、互いの水位よりも低所において横方向からのボーリングによってそれぞれ一端が連通する上流側及び下流側横管２３Ｕ，２３Ｄが設けられている。上流側及び下流側横管２３Ｕ，２３Ｄの管径は、それぞれ１５０ｍｍに設定されている。なお、上流側及び下流側横管２３Ｕ，２３Ｄの管径は、それぞれ１５０ｍｍに設定されていなくてもよく、上流側及び下流側縦井戸ケーシングの管路部分の円管並びにスクリーン部分の螺旋管及び円管の管径に応じて５０ｍｍ〜３００ｍｍ程度に設定されていればよい。
【００２６】
図３は上流側縦井戸ケーシング２２Ｕ及び上流側及び下流側横管２３Ｕ，２３Ｄの連通部での断面図、図４は下流側縦井戸ケーシング２２Ｄ及び上流側及び下流側横管２３Ｕ，２３Ｄの連通部での断面図をそれぞれ示している。
【００２７】
図３に示すように、上流側縦井戸ケーシング２２Ｕに一端が連通する上流側横管２３Ｕは、上流側止水壁１１Ｕの下流側に隣接して立設された上流側縦連結管２４Ｕに他端が接続されている。一方、図４に示すように、下流側縦井戸ケーシング２２Ｄに一端が連通する下流側横管２３Ｄは、下流側止水壁１１Ｄの上流側に隣接して立設された下流側縦連結管２４Ｄに他端が接続されている。更に、避難路１２と自動車走行路１３との間には上下方向へ延びる路間縦連結管２５が立設されている。この路間縦連結管２５には、上流側縦連結管２４Ｕ及び下流側縦連結管２４Ｄの下端がそれぞれ上流側及び下流側横連結管２６Ｕ，２６Ｄを介して接続されている。上流側横連結管２６Ｕは避難路１２の下方に設けられ、下流側横連結管２６Ｄは自動車走行路１３の下方に設けられている。この場合、上流側及び下流側縦連結管２４Ｕ，２４Ｄ、路間縦連結管２５、並びに上流側及び下流側横連結管２６Ｕ，２６Ｄによって、上流側及び下流側横管２３Ｕ，２３Ｄの他端同士を連結する連結管が構成され、この連結管と、上流側及び下流側横管２３Ｕ，２３Ｄとによって、上流側縦井戸ケーシング２２Ｕと下流側縦井戸ケーシング２２Ｄとの間を地下水流（地下浸透水）流通可能に繋いでいる。
【００２８】
図５は上流側縦井戸ケーシング２２Ｕの正面図、図６は上流側縦井戸ケーシング２２Ｕの下部に位置するスクリーン部分の正面図、図７はスクリーン部分の平面図をそれぞれ示している。
【００２９】
図５〜図７に示すように、上流側縦井戸ケーシング２２Ｕ（下流側縦井戸ケーシング２２Ｄも同一構成となるので、上流側縦井戸ケーシング２２Ｕについてのみ説明する。）は、その上部に位置する管路部分２２ａと、この管路部分２２ａの下部に連結されたスクリーン部分２２ｂとを備えている。管路部分２２ａは、ステンレス製の円管により形成されている。一方、スクリーン部分２２ｂは、ステンレス製の螺旋管により形成されている。スクリーン部分２２ｂの螺旋管は、帯状のストリップを螺旋状に巻回する際にその軸芯方向（図５〜図７では上下方向）に均一な隙間を存して巻回することで、地下浸透水を内部に取り込めるようにしている。また、スクリーン部分２２ｂの下部位置には、内部に取り込まれた地下浸透水位よりも低所に位置しかつ上流側横管２３Ｕ（又は下流側横管２３Ｄ）の一端が連通する連通部３が設けられている。
【００３０】
図８はスクリーン部分２２ｂの連通部３付近の拡大図、図９は上流側横管２３Ｕをボーリングする前の連通部３付近の断面図をそれぞれ示している。この図８及び図９において、連通部３は、スクリーン部分２２ｂの螺旋管の下部位置において当該螺旋管を上下に分割するように介在されたステンレス製の円管３０を備えている。この連通部３の円管３０としては、その軸芯ｍ方向の長さが１０００ｍｍ程度のものが用いられている。この場合、上流側及び下流側縦井戸ケーシング２２Ｕ，２２Ｄの管路部分２２ａの円管並びにスクリーン部分２２ｂの螺旋管及び円管は、それぞれの管径が５００ｍｍに設定され、互いに溶接されて強固に接合されている。
【００３１】
連通部３の円管３０には、上流側及び下流側横管２３Ｕ，２３Ｄに対してシールするゴムパッキン３１が取り付けられている。このゴムパッキン３１は、その厚さが２０ｍｍ以上（好ましくは２５ｍｍ）に設定され、連通部３の円管３０の周方向全域に亘るように円環状に設けられている。
【００３２】
また、連通部３の円管３０には、ゴムパッキン３１を外方から覆うゴムシール材３２が設けられている。このゴムシール材３２も、ゴムパッキン３１を介した状態で連通部３の円管３０の周方向全域に亘るように円環状に設けられている。また、ゴムシール材３２は、連通部３の両端に近付くに従いそれぞれ径を円管３０の外径に収束するように漸減させる上下のテーパー面３２１，３２２を備えている。この場合、ゴムパッキン３１及びゴムシール材３２は、クロロプレンゴムなどにより成形されている。
【００３３】
そして、ゴムパッキン３１とゴムシール材３２との間には、上流側横管２３Ｕ（又は下流側横管２３Ｄ）をボーリングする際に当該上流側横管２３Ｕと接触してその上流側横管２３Ｕの一端側にまとわりつくように飛散する滑剤３３が収容されている。この滑剤３３は、合成樹脂よりなる容器内に充填され、ゴムパッキン３１又はゴムシール材３２に接着された状態で、ゴムパッキン３１とゴムシール材３２との間に介在される。この場合、滑剤３３を充填した容器は、ゴムパッキン３１とゴムシール材３２との間において連通部３の円管３０の周方向全域のうちのほぼ半周域に亘って設けられるように略半円環の帯状を呈し、その円管３０の周方向の半周域においてのみ滑剤３３を介在させるようにしている。
【００３４】
また、滑剤３３としては、主原料とするポリカルボン酸塩類に多価アルコール類や安息香酸ナトリウムなどを添加したポリカルボン酸塩系のダクタイル鋳鉄管継手用滑剤が用いられている。
なお、滑剤３３は、ポリカルボン酸塩系のダクタイル鋳鉄管継手用滑剤に限定されるものではなく、主原料とする精製植物油や精製動植物性脂肪酸石鹸に一価アルコール類や多価アルコール類などを添加した脂肪酸石鹸系のダクタイル鋳鉄管継手用滑剤が用いられていてもよい。また、その他、ステアリン酸カルシウムなどの高級脂肪酸金属塩、低分子量ポリエチレンの水性分散液が用いられていてもよい。更に、液状炭化水素油、高級脂肪酸、高級アルコール、高級脂肪酸硫酸化油、脂肪族リン酸エステル、ポリアルキレングリコール又はその誘導体、あるいはこれらの水性分散液や、パラフィンワックス、マイクロクリスタリンワックスなどの石油ワックスなどが滑剤として使用されていてもよい。
【００３５】
次に、上流側横管２３Ｕ（又は下流側横管２３Ｄ）を連通部３に対してボーリングする際の手順の一例を図１０〜図１４に基づいて説明する。
【００３６】
図１０は連通部３のゴムシール材３２に対し上流側横管２３Ｕ（又は下流側横管２３Ｄ）をボーリングする直前状態での連通部３付近の一部切り欠き断面図を示している。また、図１１は連通部３の円管３０に対し上流側横管２３Ｕ（又は下流側横管２３Ｄ）をボーリングする直前状態での連通部３付近の一部切り欠き断面図、図１２は連通部３の円管３０に対し上流側横管２３Ｕ（又は下流側横管２３Ｄ）をボーリングする直前状態での連通部３の拡大断面図をそれぞれ示している。更に、図１３は連通部３の円管３０に対し上流側横管２３Ｕ（又は下流側横管２３Ｄ）をボーリングし終えた状態での連通部３付近の一部切り欠き断面図、図１４は連通部３の円管３０に対し上流側横管２３Ｕ（又は下流側横管２３Ｄ）をボーリングし終えた状態での連通部３の拡大断面図をそれぞれ示している。
【００３７】
先ず、図１０に示すように、図示しない油圧式ロータリーパーカッションドリルに装填した上流側横管２３Ｕ（又は下流側横管２３Ｄ）を連通部３に対し回転させながら進出させる。このとき、連通部３の円管３０は、上流側横管２３Ｕ（又は下流側横管２３Ｄ）の進出方向に滑剤３３の容器の周方向ほぼ中央部が対面するように設置されていて、上流側横管２３Ｕ（又は下流側横管２３Ｄ）を連通部３の円管３０の軸芯ｍに対し直行する方向から進出させている。この場合、油圧式ロータリーパーカッションドリルには、二重管構造の内外両管が装填され、その外側管が上流側横管２３Ｕ（又は下流側横管２３Ｄ）として使用される。
【００３８】
その後、図１１及び図１２に示すように、油圧式ロータリーパーカッションドリルにより上流側横管２３Ｕ（又は下流側横管２３Ｄ）を連通部３に対し回転させながら押圧し、上流側横管２３Ｕとの接触によりゴムシール材３２及び滑剤３３（容器）を破断させる。このとき、滑剤３３が飛散して上流側横管２３Ｕの一端側にまとわりつく。
【００３９】
それから、図１３及び図１４に示すように、上流側横管２３Ｕを連通部３に対し回転させながらさらに押圧し、連通部３の円管３０を貫通させる。
【００４０】
しかる後、連通部３の円管３０を貫通した二重管構造の内外両管のうちの外側管を上流側横管２３Ｕをそのまま残し、内側管のみを再利用可能に引き抜く。
【００４１】
したがって、本実施の形態では、トンネル１の上流側及び下流側縦井戸ケーシング２２Ｕ，２２Ｄに対し横方向からのボーリングによってそれぞれ上流側及び下流側横管２３Ｕ，２３Ｄが連通する連通部３の円管３０に、ゴムパッキン３１を取り付け、このゴムパッキン３１と当該ゴムパッキン３１を覆うゴムシール材３２との間に、滑剤３３を充填した容器を収容することで、円管３０に対してボーリングする際に回転しながら押圧される上流側及び下流側横管２３Ｕ，２３Ｄとの接触によってゴムシール材３２を破断させて飛散する滑剤３３が上流側及び下流側横管２３Ｕ，２３Ｄの一端側にまとわりつく。このため、上流側及び下流側横管２３Ｕ，２３Ｄが回転しながらゴムパッキン３１並びに円管３０に滑らかに押圧され、ゴムパッキン３１が上流側及び下流側横管２３Ｕ，２３Ｄの径以上に引きちぎられるなどして大きく損傷したり、円管３０が管内に押し込まれたりすることがない。これにより、上流側及び下流側横管２３Ｕ，２３Ｄに対するゴムパッキン３１のシール性を確保し、土砂などの異物の円管３０内への侵入を確実に防止することができる。
【００４２】
また、滑剤３３の容器が、ゴムパッキン３１とゴムシール材３２との間において、連通部３の円管３０の周方向全域のうちの略半周域に亘って設けられるように略半円環の帯状を呈しているので、上流側及び下流側縦井戸ケーシング２２Ｕ，２２Ｄの連通部３の円管３０の周方向において滑剤３３の容器の位置に多少のズレがあっても上流側及び下流側横管２３Ｕ，２３Ｄをそのままボーリングすることが可能となる。このため、上流側及び下流側縦井戸ケーシング２２Ｕ，２２Ｄの連通部３の周方向を上流側及び下流側横管２３Ｕ，２３Ｄのボーリングに合わせた向きに正確に位置合わせする必要がない上、滑剤３３の使用量が周方向全域の略半分で済む。これにより、上流側及び下流側縦井戸ケーシング２２Ｕ，２２Ｄを安易に配置できて、上流側及び下流側横管２３Ｕ，２３Ｄのボーリング作業を簡単かつ安価に行うことができる。
【００４３】
また、ゴムシール材３２に、連通部３の両端に近付くに従いそれぞれ径を漸減させる上下のテーパー面３２１，３２２が設けられているので、上流側及び下流側縦井戸ケーシング２２Ｕ，２２Ｄを縦穴に設置する際に当該上流側及び下流側縦井戸ケーシング２２Ｕ，２２Ｄの径よりも大径なゴムシール材３２との接触がテーパー面３２１，３２２により緩和される。これにより、上流側及び下流側縦井戸ケーシング２２Ｕ，２２Ｄの縦穴への設置作業を円滑に行うことができる。
【００４４】
なお、本発明は、前記実施の形態に限定されるものではなく、その他種々の変形例を包含している。例えば、本実施の形態では、上流側及び下流側縦井戸ケーシング２２Ｕ，２２Ｄの管路部分２２ａの円管並びにスクリーン部分２２ｂの螺旋管及び円管の管径をそれぞれ５００ｍｍに設定したが、それぞれの管径が２００ｍｍ〜１０００ｍｍに設定されていればよい。つまり、このような範囲に設定したものを対象とすることで、上流側及び下流側縦井戸ケーシングとして用いる管材を管径によって特定し、上流側及び下流側縦井戸ケーシングに対して横方向からボーリングする上流側及び下流側横管の径も自ずと特定でき、上流側及び下流側縦井戸ケーシングを横方向からの上流側及び下流側横管のボーリングにより連通させる作業においてのみ適用するものであることを明確にすることが可能となる。
【００４５】
また、本実施の形態では、上流側及び下流側縦井戸２１Ｕ，２１Ｄをトンネル１の長手方向所定間隔置き、例えば略２０ｍ置きに設置したが、地下浸透水の流量つまり地下水流の流通量に応じて上流側及び下流側縦井戸の間隔を変更してもよい。たとえば、地下水流の流通量が多い箇所では上流側及び下流側縦井戸の間隔を密に、地下水流の流通量が少ない箇所では上流側及び下流側縦井戸の間隔を粗にそれぞれ変更すればよい。
【００４６】
また、本実施の形態では、トンネル１内の避難路１２と自動車走行路１３との間に路間縦連結管２５を立設させたが、上流側及び下流側縦井戸ケーシングが、上流側及び下流側横管と、これらを横方向に延びて連結する横連結管とで地下水流流通可能に繋がれていてもよい。
【００４７】
また、本実施の形態では、滑剤３３の容器をゴムパッキン３１とゴムシール材３２との間において連通部３の円管３０の周方向全域のうちのほぼ半周域に亘って設けるように略半円環の帯状としたが、滑剤の容器は、連通部の円管の周方向において上流側横管及び下流側横管の直径よりも大きければよく、この場合には、滑剤の容器を上流側横管及び下流側横管のボーリングに合わせた向きに位置合わせしておけば、各横管のボーリング作業を円滑に行うことが可能となる。
一方、滑剤の容器がゴムパッキンとゴムシール材との間において連通部の円管の周方向全域に亘るように略円環状に設けられていてもよい。この場合には、連通部の円管の周方向の何れの方向からでも上流側及び下流側横管をそのままボーリングすることが可能となる。このため、滑剤の容器を上流側横管及び下流側横管のボーリングに合わせた向きに位置合わせする必要がない。これにより、上流側及び下流側縦井戸ケーシングを安易に配置できて、各横管のボーリング作業をより簡単に行うことが可能となる。
【００４８】
また、本実施の形態では、滑剤３３として、ポリカルボン酸塩系のダクタイル鋳鉄管継手用滑剤を用いたが、滑剤の粘度が澱粉質の添加によってさらに高められていてもよい。この種の澱粉質としては、例えば酸化澱粉、カチオン化澱粉、カルボキシメチル化澱粉、α化澱粉、リン酸エステル化澱粉、尿素リン酸変性澱粉、未変性澱粉等、公知の種々のものを単独で又は２種以上を混合して用いられていてもよい。また、これらの澱粉の原料についても特に限定されるものではなく、例えばタピオカ澱粉、馬鈴薯澱粉、甘藷澱粉、小麦澱粉、サゴ澱粉、米澱粉、トウモロコシ澱粉等、公知の種々の原料澱粉を単独で又は２種以上を混合して使用されるとよい。この場合、滑剤の粘度が澱粉質の添加によって高められていると、連通部の円管に対するボーリング時に回転しながら押圧される上流側及び下流側横管の接触によって容器を破断させて漏れ出す高い粘度の滑剤が上流側及び下流側横管の一端側にまとわりつき易くなる。このため、上流側及び下流側横管が回転しながらゴムパッキンに対しより滑らかに押圧され、ゴムパッキンの損傷自体も大幅に抑制される。これにより、上流側及び下流側横管に対するゴムパッキンのシール性をより一層確保し、土砂などの異物の円管内への侵入をより確実に防止することが可能となる。
【００４９】
また、本実施の形態では、上流側及び下流側縦井戸ケーシング２２Ｕ，２２Ｄの管路部分２２ａの円管並びにスクリーン部分２２ｂの螺旋管及び円管３０をそれぞれステンレスにより形成したが、その他の鋼材などの金属により上流側及び下流側縦井戸ケーシングの管路部分の円管並びにスクリーン部分の螺旋管及び円管が形成されていてもよく、また、これらの管が樹脂材により形成されていてもよい。
【００５０】
更に、本実施の形態では、ゴムパッキン３１とゴムシール材３２との間に、滑剤３３を充填した容器を収容したが、ゴムパッキンの厚みを増やし、その厚みを増やしたゴムパッキンの増厚部分に、上流側横管（又は下流側横管）との接触により容器から飛散した滑剤を一時貯留可能な複数の溝を設けていてもよい。この場合には、各溝に一時貯留された滑剤を時間差で上流側及び下流側横管の一端側にまとわりつかせることが可能となり、ゴムパッキンの大きな損傷や、連通部の円管の管内への押し込みをより効果的に回避することが可能となる。
【符号の説明】
【００５１】
１        トンネル（止水壁構造体）
２１Ｕ    上流側縦井戸
２１Ｄ    下流側縦井戸
２２Ｕ    上流側縦井戸ケーシング
２２Ｄ    下流側縦井戸ケーシング
２３Ｕ    上流側横管
２３Ｄ    下流側横管
２４Ｕ    上流側縦連結管（連結管）
２４Ｄ    下流側縦連結管（連結管）
２５      路間縦連結管（連結管）
２６Ｕ    上流側横連結管（連結管）
２６Ｄ    下流側横連結管（連結管）
３        連通部
３１      ゴムパッキン
３２      ゴムシール材
３２１    テーパー面
３２２    テーパー面
３３      滑剤
【図１】
2018021414.tif 000003
【図２】
2018021414.tif 000004
【図３】
2018021414.tif 000005
【図４】
2018021414.tif 000006
【図５】
2018021414.tif 000007
【図６】
2018021414.tif 000008
【図７】
2018021414.tif 000009
【図８】
2018021414.tif 000010
【図９】
2018021414.tif 000011
【図１０】
2018021414.tif 000012
【図１１】
2018021414.tif 000013
【図１２】
2018021414.tif 000014
【図１３】
2018021414.tif 000015
【図１４】
2018021414.tif 000016